(57)【要約】【課題】ポケットに工具を収納しやすく、かつ、収納された工具が取り出しやすい構造の工具用腰袋を提供する。【解決手段】ベース部材１１の表面側に同素材の第一カバー部材１２を取り付けることにより、工具が挿入される上部第一開口１９および下部第一開口２０を有する略角筒状の第一ポケット部１７が形成され、ベース部材１１の表面には、第一ポケット部１７の上部第一開口１９よりも上方から下端にかけてベース部材１１よりも摩擦係数の小さい滑り面部材１５が取り付けられ、工具の収納時および取り出し時の摩擦が小さくなるように構成する。【選択図】図１
0003205782.tif 000002
【実用新案登録請求の範囲】
【請求項１】
ベース部材の表面側に、前記ベース部材と同素材の第一カバー部材を取り付けることにより、工具が挿入される上部第一開口および当該上部第一開口より小さな開口の下部第一開口を有する略角筒状の第一ポケット部が形成された工具用腰袋であって、
前記ベース部材の表面には、前記第一ポケット部の上部第一開口よりも上方から下端にかけて前記ベース部材よりも摩擦係数の小さい滑り面部材が取り付けられ、前記工具の収納時および取り出し時の摩擦が小さくなるように構成された工具用腰袋。
【請求項２】
前記第一ポケット部の上部第一開口より下側で、前記ベース部材と同素材の第二カバー部材が、前記第一カバー部材の一部を覆うようにして前記ベース部材の表面側に取り付けられることにより、工具が挿入される上部第二開口および当該上部第二開口より小さな開口の下部第二開口を有する略角筒状の第二ポケット部が形成され、
前記第一カバー部材の上端から下端にかけての前記第二ポケット部に面する表面には、前記ベース部材よりも摩擦係数の小さい滑り面部材が取り付けられ、前記第二ポケット部への前記工具の収納時および取り出し時の摩擦が小さくなるように構成された請求項１に記載の工具用腰袋。
【請求項３】
前記第二ポケット部の上部第二開口より下側で、前記ベース部材と同素材の第三カバー部材が、前記第二カバー部材の一部を覆うようにして前記ベース部材の表面側に取り付けられることにより、工具が挿入される上部第三開口および当該上部第三開口より小さな開口の下部第三開口を有する略角筒状の第三ポケット部が形成され、
前記第二カバー部材の上端から下端にかけての前記第三ポケット部に面する表面には、前記ベース部材よりも摩擦係数の小さい滑り面部材が取り付けられ、前記第三ポケット部への前記工具の収納時および取り出し時の摩擦が小さくなるように構成された請求項２に記載の工具用腰袋。
【請求項４】
前記ベース部材に取り付けられる各カバー部材の内面側は、ベース素材と同素材で構成される請求項１〜３のいずれかに記載の工具用腰袋。
【考案の詳細な説明】
【技術分野】
【０００１】
本考案は、電気工事者や土木・建築工事者等が工具類を腰に吊り下げておくために使用する工具用腰袋に関する。
【背景技術】
【０００２】
工事現場等では、作業者が頻繁に使用する工具を腰袋に入れ、この腰袋を腰回りに装着して作業を行うことがなされている。
このような工具用腰袋を大別すると、大きな開口を有する大きなポケットに種々の形状の工具が同時に多数収納できるようにしたものと、１個あるいは数個の小さなポケットが形成され、各々のポケットに、個別に１つの工具を収納するようにしたものとがある。
【０００３】
前者の工具用腰袋は、種々の形状の工具を、同時に多数収納できるという特徴を有している。多数の工具を収納するために丈夫な布や皮革等の素材で作製されたものが多いが、経年使用後は工具の重量で型崩れしやすく、殊にベルト通しの下縁部分で折れ曲がりやすい。
そのため、背布裏面側の上半分程度に、背布素材とは別素材の補強板を取り付けて、補強板付近にベルト通しを取り付け、あるいは補強板自体にベルト通し孔を形成するようにしてベルト通しの下縁で折れ曲がらないように補強することが開示されている。さらに、当該文献には、ＥＶＡ樹脂製等の芯材を強靭な表布と裏布により挟着した３層構造の背布として補強することが開示されている（特許文献１参照）。
【０００４】
一方、後者の工具用腰袋は、種々の形状の工具を同時に多数収納することはできない反面、同じポケットの位置に同じ工具を収納するようにして用いることで、必要な工具をすぐに取り出すことができる。１つのポケットに１つの工具を収納するようにした工具用腰袋は、ポケットを工具の形状や大きさに合わせて加工してあり、また、ポケットの形状や大きさに合った工具だけを収納して用いるため型崩れしにくいことから、従来、素地（布や皮革）に対する強度補強を目的として別素材の補強板を設けることはなされておらず、上下左右に折り曲げ困難な程度の硬さを備えた厚手の合成樹脂素地や、天然皮革素地または合成皮革素地等からなるベース部材の表側に、同様の合成樹脂素地や皮革素地からなるカバー部材を、縫着あるいはリベット止めすることにより上方と下方とを開口してポケットを形成するようにしている（特許文献２参照）。
【先行技術文献】
【特許文献】
【０００５】
【特許文献１】特開２００４−３０６２４４号公報
【特許文献２】特開２０１０−１３７３０６号公報
【考案の概要】
【考案が解決しようとする課題】
【０００６】
使用する工具数が少ない作業現場では、１つのポケットに１つの工具を収納する後者の工具用腰袋が便利である。この形状の腰袋のポケットに収納される工具は、ペンチ、プライヤ、ニッパ等のようなポケットに収納しやすいタイプのものであるが、工具メーカーごとに微妙に大きさ、形状、構造等が異なる。そのため、多くのメーカーの工具に対応したポケットに加工する必要があるだけでなく、収納した工具を簡単に取り出せるようにするとともに、収納した工具が簡単に抜け落ちないようにする必要もあった。
したがって、ポケットの大きさや形状をどのようにするかが使い勝手のよさを左右することとなり、これまで以上に使い勝手のよいものにすることが望まれていた。
【０００７】
そこで本考案は、１つのポケットに１つの工具を収納するタイプの工具用腰袋において、ポケットに工具を収納しやすく、かつ、収納された工具が取り出しやすい構造の工具用腰袋を提供することを目的とする。
【課題を解決するための手段】
【０００８】
上記課題を解決するためになされた本考案の工具用腰袋は、ベース部材の表面側に、前記ベース部材と同素材の第一カバー部材を取り付けることにより、工具が挿入される上部第一開口および当該上部第一開口より小さな開口の下部第一開口を有する略角筒状の第一ポケット部が形成された工具用腰袋であって、前記ベース部材の表面には、前記第一ポケット部の上部第一開口よりも上方から下端にかけて前記ベース部材よりも摩擦係数の小さい滑り面部材が取り付けられ、前記工具の収納時および取り出し時の摩擦が小さくなるように構成されている。
【考案の効果】
【０００９】
本考案によれば、例えば布、合成樹脂、天然皮革または合成皮革等を素地とするベース部材の表面に、第一ポケット部の上部第一開口よりも上方から下端にかけてベース部材よりも摩擦係数の小さい滑り面部材が取り付けてあるので、工具の収納または取り出し時には、工具をベース部材側に少し押し付けるようにして工具の出し入れを行うことで第一ポケット部との摩擦が小さくなり、滑らかに出し入れすることができる。
【００１０】
上記考案において、前記第一ポケット部の上部第一開口より下側で、前記ベース部材と同素材の第二カバー部材が、前記第一カバー部材の一部を覆うようにして前記ベース部材の表面側に取り付けられることにより、工具が挿入される上部第二開口および当該上部第二開口より小さな開口の下部第二開口を有する略角筒状の第二ポケット部が形成され、前記第一カバー部材の上端から下端にかけての前記第二ポケット部に面する表面には、前記ベース部材よりも摩擦係数の小さい滑り面部材が取り付けられ、前記第二ポケット部への前記工具の収納時および取り出し時の摩擦が小さくなるように構成してもよい。
これにより、第一カバー部材の上端から下端にかけての第二ポケット部に面する表面には、ベース部材よりも摩擦係数の小さい滑り面部材が取り付けてあるので、第二ポケット部への工具の収納または取り出し時には、第一カバー部材の表面に固定された滑り面部材に押し付けるようにして工具の出し入れを行うことで、第一ポケット部との摩擦が小さくなって滑らかに出し入れすることができる。
【００１１】
さらに、上記考案において、前記第二ポケット部の上部第二開口より下側で、前記ベース部材と同素材の第三カバー部材が、前記第二カバー部材の一部を覆うようにして前記ベース部材の表面側に取り付けられることにより、工具が挿入される上部第三開口および当該上部第三開口より小さな開口の下部第三開口を有する略角筒状の第三ポケット部が形成され、前記第二カバー部材の上端から下端にかけての前記第三ポケット部に面する表面には、前記ベース部材よりも摩擦係数の小さい滑り面部材が取り付けられ、前記第三ポケット部への前記工具の収納時および取り出し時の摩擦が小さくなるように構成してもよい。
これにより、第二カバー部材の上端から下端にかけての第三ポケット部に面する表面には、ベース部材よりも摩擦係数の小さい滑り面部材が取り付けてあるので、第三ポケット部への工具の収納または取り出し時には、第二カバー部材の表面に固定された滑り面部材に押し付けるようにして工具の出し入れを行うことで、第二ポケット部との摩擦が小さくなって滑らかに出し入れすることができる。
【００１２】
また、上記考案において、前記ベース部材に取り付けられる各カバー部材の内面側は、ベース素材と同素材で構成されるようにしてもよい。
これにより、第一ポケット部についてはベース部材に取り付けられている滑り面部材以外の第一カバー部材の内面側、第二ポケット部については第一カバー部材に取り付けられている滑り面部材以外の第二カバー部材の内面側、第三ポケット部については第二カバー部材に取り付けられている滑り面部材以外の第三カバー部材の内面側のそれぞれは、摩擦係数が小さくなるように加工されていないので、収納されている工具は、滑り面部材に押し当てられない限り、これらの面に接した状態で滑りにくくなっており、簡単に抜け落ちることがない。
【図面の簡単な説明】
【００１３】
【図１】本考案の第一実施形態を示す正面図。
【図２】図１の右側面図。
【図３】図１の背面図。
【図４】図１の平面図。
【図５】図１の中央縦断面図。
【図６】本考案の第二実施形態を示す正面図。
【図７】図６の右側面図。
【図８】図６の背面図。
【図９】図６の平面図。
【図１０】図６の中央縦断面図。
【図１１】本考案の第三実施形態を示す正面図。
【図１２】図１１の右側面図。
【図１３】図１１の背面図。
【図１４】図１１の平面図。
【図１５】図１１の中央縦断面図。
【考案を実施するための形態】
【００１４】
（第一実施形態）
以下、本考案の第一実施形態について図面に基づいて説明する。図１〜５は本考案の第一実施形態に係る工具用腰袋１０を示す図であり、図１は正面図、図２は右側面図、図３は背面図、図４は平面図、図５は中央縦断面図である。
工具用腰袋１０は、主としてベース部材１１と第一カバー部材１２とからなる。以下において、これらの構成素材には一例として布地（例えば帆布のような厚手の織布）を用いて説明しているが、天然皮革または人工皮革のような皮革類や適宜の厚さと柔軟性を備えた合成樹脂素材を使用することもできる。
【００１５】
ベース部材１１の上側は、表面部分１１ａから背面側に折り返してあり、折り返された背面部分１１ｂを、リベット１３、１３で表面部分１１ａに固定することで、ベース部材１１の上端から約１／３程度の高さまでが表面部分１１ａと背面部分１１ｂとの二重構造となるようにしてあり、これによりベルト挿通用空間１４を形成するようにしてある。
【００１６】
また、ベース部材１１の表面部分１１ａには、リベット１３、１３の位置よりも少し上側からベース部材１１の下端までを、ベース部材１１よりも摩擦係数の小さい滑り面部材１５がベース部材１１の表面部分１１ａの表面を覆うようにして、リベット１３、１３で固定するとともにミシン糸１６を用いて縫着してある。なお、縫着部分はベース部材１１の端面を覆い隠すように布１６ａを巻いて縫着してある。
【００１７】
この滑り面部材１５は、摩擦係数がベース部材１１よりも小さな材料であれば特に限定されない。例えば硬質で１ｍｍ程度の厚みを有する樹脂製シートが好適であり、具体的にはポリエチレン発泡シートや塩化ビニルシートが好ましいが、その他の樹脂板や鉄板等の金属板を用いることもできる。
【００１８】
ベース部材１１の幅は、上側よりも中央付近が幅広であって、中央付近から下側は少し先細り形状となるようにしてある。
そして、中央付近から下側にかけての滑り面部材１５の表側には、略角筒状の第一ポケット部１７を形成する第一カバー部材１２が、ミシン糸１６でベース部材１１に縫着されるとともに、その四隅がリベット１８により固定してある。
第一カバー部材１２の内面は、ベース部材１１と同じ素材、すなわち布地のままにしてあり、したがって略角筒状の第一ポケット部１７の内面は、ベース部材１１上の１面が滑り面部材１５、残り３面がベース部材１１と同じ布地で形成されている。
【００１９】
第一ポケット部１７は、工具を出し入れする上部第一開口１９と、それよりやや小さな開口である下部第一開口２０を有している。
上部第一開口１９は、多数の工具メーカーのニッパ、プライヤ、ペンチ等の工具が挿入可能であり、しかも挿入されたときに抜け落ちない程度の大きさにしてある。
【００２０】
次に、工具用腰袋１０の使用状態について説明する。
まず、作業者はベルト挿通用空間１４にベルトを通して工具用腰袋１０を腰にぶら下げ、第一ポケット部１７に使用する工具を挿入し、現場作業を開始する。
そして、作業中に工具が必要になったときには工具の持手部分を持ち、滑り面部材１５に工具を少し押し当てるようにしながら第一ポケット部１７から引き出す。このとき、滑り面部材１５の摩擦係数はベース部材１１よりも小さいので、滑らかに引き出すことができる。
また、使用した工具を第一ポケット部１７に戻すときは、工具の先端部を第一ポケット部１７の上部第一開口１９に入れた状態で手を離すことにより、工具は自重で第一ポケット部１７に収納される。
第一ポケット部１７に完全に収納された状態の工具は、第一ポケット部１７の内部で摩擦係数の小さい滑り面部材１５に接するだけでなく、第一カバー部材１２の内面にも接しているため容易に抜け落ちることはない。
【００２１】
（第二実施形態）
次に、本考案の第二実施形態について説明する。図６〜１０は本考案の第二実施形態に係る工具用腰袋３０を示す図であり、図６は正面図、図７は右側面図、図８は背面図、図９は平面図、図１０は中央縦断面図である。なお、上述した工具用腰袋１０と同じ構成部分については、同符号を付すことにより説明の一部を省略する。
【００２２】
第二実施形態に係る工具用腰袋３０は、上記第一実施形態に係る工具用腰袋１０をベースにして、第一ポケット部１７の上部第一開口１９より下側の位置に、ベース部材１１と同素材の第二カバー部材３１が、第一カバー部材１２の一部を覆うようにしてベース部材１１の表面側にミシン糸１６で縫着されるとともに、その四隅がリベット１８により固定してある。これにより、工具が挿入される上部第二開口３２および上部第二開口３２より小さな開口の下部第二開口３３を有する略角筒状の第二ポケット部３４が形成してある。
さらに、第一カバー部材１２の上端から下端にかけての第二ポケット部３４に面する表面には、ベース部材１１よりも摩擦係数の小さい滑り面部材３５がミシン糸１６により縫着され、第二ポケット部３４への工具の収納または取り出し時の摩擦が小さくなるようにしてある。
【００２３】
工具用腰袋３０の第一ポケット部１７および第二ポケット部３４からの工具の出し入れについては上述した工具用腰袋１０の場合と同様であり、工具を引き出す際には、滑り面部材１５または滑り面部材３５に工具を少し押し当てるようにしながら、第一ポケット部１７または第二ポケット部３４から引き出すことで、滑らかに引き出すことができる。
また、使用した工具を第一ポケット部１７または第二ポケット部３４に戻すときは、工具の先端部を第一ポケット部１７の上部第一開口１９に入れた状態、または第二ポケット部３４の上部第二開口３２に入れた状態で手を離すことにより、工具は自重で第一ポケット部１７または第二ポケット部３４に収納される。
第一ポケット部１７、第二ポケット部３４に完全に収納された状態の工具は、摩擦係数の小さい滑り面部材１５や滑り面部材３５に接するだけでなく、第一カバー部材１２および第二カバー部材３１の内面にも接しているため容易に抜け落ちることはない。
【００２４】
（第三実施形態）
次に、本考案の第三実施形態について説明する。図１１〜１５は本考案の第三実施形態に係る工具用腰袋５０を示す図であり、図１１は正面図、図１２は右側面図、図１３は背面図、図１４は平面図、図１５は中央縦断面図である。なお、上述した工具用腰袋１０、３０と同じ構成部分については、同符号を付すことにより説明の一部を省略する。
【００２５】
第三実施形態に係る工具用腰袋５０は、上記第二実施形態に係る工具用腰袋３０をベースにして、第二ポケット部３４の上部第二開口３２より下側の位置に、ベース部材１１と同素材の第三カバー部材５１が、第二カバー部材３１の一部を覆うようにしてベース部材１１の表面側にミシン糸１６で縫着されるとともに、その四隅がリベット１８により固定してある。これにより、工具が挿入される上部第三開口５２および上部第三開口５２より小さな開口の下部第三開口５３を有する略角筒状の第三ポケット部５４が形成してある。
さらに、第二カバー部材３１の上端から下端にかけての第三ポケット部５４に面する表面には、ベース部材１１よりも摩擦係数の小さい滑り面部材５５がミシン糸１６により縫着され、第三ポケット部５４への工具の収納または取り出し時の摩擦が小さくなるようにしてある。
【００２６】
工具用腰袋５０の第一ポケット部１７、第二ポケット部３４、第三ポケット部５４からの工具の出し入れについては、上述した工具用腰袋１０、３０の場合と同様であり、工具を引き出す際には、第一ポケット部１７、第二ポケット部３４、第三ポケット部５４の各滑り面部材１５、３５、５５に工具を少し押し当てるようにしながら引き出すことで、滑らかに引き出すことができる。
また、使用した工具を第一ポケット部１７、第二ポケット部３４、第三ポケット部５４に戻すときは、工具の先端部を第一ポケット部１７の上部第一開口１９に入れた状態、または第二ポケット部３４の上部第二開口３２に入れた状態、または第三ポケット部５４の上部第三開口５２に入れた状態で手を離すことにより、工具は自重で第一ポケット部１７、第二ポケット部３４、第三ポケット部５４に収納される。
第一〜第三の各ポケット部１７、３４、５４に完全に収納された状態の工具は、摩擦係数の小さい滑り面部材１５、３５、５５に接するだけでなく、第一〜第三の各カバー部材１２、３１、５１の内面にも接しているため容易に抜け落ちることはない。
【００２７】
以上本考案の代表的と思われる実施例について説明したが、本考案は必ずしもこれらの実施例として示した構造のもののみに限定されるものではなく、本考案にいう前記の構成要件を充足し、上記の目的を達成し、上記の効果を有する範囲内において適宜に改変して実施することができるものである。
【００２８】
例えば、上述した３つの実施形態では、ベース部材１１の表面側に１つの第一ポケット部１７を取り付ける構成を示したが、ベース部材１１の横幅を広げて第一ポケット部１７を横方向に複数並べて取り付けるようにしてもよい。またその場合、複数の第一ポケット部１７のそれぞれに第二ポケット部３４、第三ポケット部５４を設けるようにしてもよい。
【産業上の利用可能性】
【００２９】
本考案は、工事現場等において作業者が工具類を収納する工具用腰袋に利用することができる。
【符号の説明】
【００３０】
１０  工具用腰袋
１１  ベース部材
１１ａ  表面部分
１１ｂ  背面部分
１２  第一カバー部材
１３  リベット
１４  ベルト挿通用空間
１５  滑り面部材
１６  ミシン糸
１６ａ  布
１７  第一ポケット部
１８  リベット
１９  上部第一開口
２０  下部第一開口
３０  工具用腰袋
３１  第二カバー部材
３２  上部第二開口
３３  下部第二開口
３４  第二ポケット部
３５  滑り面部材
５０  工具用腰袋
５１  第三カバー部材
５２  上部第三開口
５３  下部第三開口
５４  第三ポケット部
５５  滑り面部材
【図１】
0003205782.tif 000003
【図２】
0003205782.tif 000004
【図３】
0003205782.tif 000005
【図４】
0003205782.tif 000006
【図５】
0003205782.tif 000007
【図６】
0003205782.tif 000008
【図７】
0003205782.tif 000009
【図８】
0003205782.tif 000010
【図９】
0003205782.tif 000011
【図１０】
0003205782.tif 000012
【図１１】
0003205782.tif 000013
【図１２】
0003205782.tif 000014
【図１３】
0003205782.tif 000015
【図１４】
0003205782.tif 000016
【図１５】
0003205782.tif 000017